(57)【要約】【課題】適度な柔軟性と弾力性が得られるのみならず、頭部から発生する熱の放散特性がよく、必要に応じて適宜な温熱効果も得られ、抗菌性や防臭効果も得られる素材で構成され、また、枕高さの調節が自由にできる構造とし、さらに、肩凝りや腰の負担を軽減する理想的な枕を提供する。【解決手段】扁平で幅広の袋に粒状物が充填され、略Ｖ字状の扁平筒状に形成された枕であって、縫い目状の区画線により、中央部が略扇形に形成され、中央部の左右両側部が略矩形に形成され、中央部の肉厚が左右両側部の肉厚より薄く形成される。また、充填される粒状物は、防虫・防カビ処理を施した小豆を１／２以上の容量で含有する。さらに、略扇形に形成された中央部と略矩形に形成された左右両側部との境界の区画線の一部に、貫通孔が形成されているので、粒状物が適宜移動でき、枕の高さを自由に調節することができる。【選択図】図１
0003120105.tif 000002
【実用新案登録請求の範囲】
【請求項１】
扁平で幅広の袋に粒状物が充填され、略Ｖ字状の扁平筒状に形成された枕であって、縫い目状の区画線により、中央部が略扇形に形成され、前記中央部の左右両側部が略矩形に形成され、前記中央部の肉厚が前記左右両側部の肉厚より薄く形成されたことを特徴とする多機能枕。
【請求項２】
前記中央部と前記左右両側部との境界の区画線の一部に、貫通孔が形成され、前記中央部と前記左右両側部に充填されている粒状物が適宜移動させられることにより、前記中央部の肉厚および前記左右両側部の肉厚を調節できることを特徴とする請求項１に記載の多機能枕。
【請求項３】
前記左右両側部の両端に調節紐が設けられ、該調節紐を結ぶことにより、前記略Ｖ字状のＶ字の角度が調節され、それにより前記中央部の肉厚を厚くできることを特徴とする請求項１又は２に記載の多機能枕。
【請求項４】
請求項１乃至請求項３のいずれか１項の多機能枕が収納される枕カバーであって、全体形状が略Ｖ字状の筒袖状であり、両端の開口部の周囲に絞り紐を具備する枕カバーに覆われたことを特徴する多機能枕。
【請求項５】
扁平で幅広の袋に粒状物が充填され、略Ｖ字状の扁平筒状に形成された枕であって、中央の縫い目状の区画線により左右に仕切られ、かつ、左右それぞれに略水平の縫い目状の区画線が設けられたことを特徴する多機能枕。
【請求項６】
前記扁平筒状に形成された多機能枕の扁平面の一方の面に、ソフト綿若しくは遠赤外線綿を付着したことを特徴とする請求項１乃至５のいずれか１項に記載の多機能枕。
【請求項７】
前記扁平筒状に形成された多機能枕の扁平面の一方の面に、発熱体若しくは冷却体の収納物を収納する収納部を設けたことを特徴とする請求項１乃至６のいずれか１項に記載の多機能枕。
【考案の詳細な説明】
【技術分野】
【０００１】
本考案は、防カビ・防虫を施した、吸熱性に優れた小豆を充填することによって、就寝時に快適な睡眠をもたらすことのできる枕や、自動車の運転席シート等椅子に使用され腰の負担を軽くする背当て枕に関するものである。
【背景技術】
【０００２】
寝具用の枕は、適当な高さを維持し、かつ柔軟性や弾力性が求められ、また頭熱の適度の吸熱・冷却を行って安眠を誘うようにすることが求められている。
従来から、枕の充填材として、小豆やソバ殻などの天然材料を用いたものや、綿、ウレタン樹脂等の合成樹脂製ビーズなどの素材が用いたものがある。（例えば、特許文献１）
【０００３】
しかしながら、小豆やソバ殻など天然材料を用いたものにあっては、適度の柔軟性や弾力性が得られるが、他方で内部にカビやダニ、虫などが発生したり、雑菌が繁殖して不衛生となり、匂いがつくなどの問題があり、また合成樹脂を用いたものはダニ等の発生は比較的少ないが、特有の匂いがあったり、また放熱性が悪いという問題があり、頭部の熱を放散する効果は余り期待できないという問題がある。
【０００４】
また、現代人の慢性症状といわれる肩凝りは、枕が影響しているとも言われている。すなわち、枕が高すぎたり低すぎたりすることで、首の骨である頚椎やその周辺の筋肉に負担が掛かって、肩凝りや首の痛みの原因になる。
しかし、この枕の高さ（肩が凝らない高さ）には個人差があり、試し寝を行い、その人個人にあった高さの枕を使用することが求められているが、現実には困難であり、従来から存在する枕は、枕の高さがだいたい一定である。すなわち、一個の枕で、大人と小人、あるいは好みに応じて高さの調整ができないという問題がある。
【０００５】
また、寝具用の枕は、立ったときの自然な姿勢を、寝ているときにも維持できるように、布団と首から頭にかけての隙間を埋める働きを持つ。一般に寝ているときの間に、数１０回程度の寝返りを打つといわれる。このため、枕の形としては、中央部は左右両側部よりも低めで、中央部の中でも頚椎があたる部分は若干高めで、その両側は寝返りを打ったときに肩が負担をかけないように、さらに高いものが理想とされている。
【０００６】
また一方、従来から自動車の運転席シートに吊り下げて腰の負担を軽くする腰当て枕は考えられていた。例えば、特許文献２にその様な枕が開示されている。しかし、特許文献２に開示されている腰枕は、エアーチューブが設けられており、腰枕全体が運転者の体にフィットするが、指圧部が設けられておらず、腰の負担を軽減することはできるが、ツボを刺激して背中から腰にかけての疲労を癒す作用がない。
【０００７】
また、特許文献３には、２箇所の指圧部を設けた腰枕が開示されている。開示されている腰枕は、指圧部は存在するものの、腰枕全体が運転者の体にフィットするものではなく、腰の負担を軽減する効果が少ない。
【０００８】
本発明はこのような不都合を解消し、適度な柔軟性と弾力性が得られるのみならず、頭部から発生する熱の放散特性がよく、必要に応じて適宜な温熱効果も得られ、抗菌性や防臭効果も得られる素材で構成され、また、枕高さの調節が自由にできる構造とし、さらに、肩凝りや腰の負担を軽減する理想的な枕を提供することを目的としている。
【０００９】
【特許文献１】公開実用新案公報平１−１３１３６９号公報
【特許文献２】特開２００２−２９１５７３号公報
【特許文献３】登録実用新案第３０５２１７号公報
【考案の開示】
【考案が解決しようとする課題】
【００１０】
本考案に係る多機能枕は、枕の充填材としてソバ殻や小豆など天然材料を用いた場合に、内部にカビやダニ、虫などが発生したり、雑菌が繁殖して不衛生となり、匂いがつく等の問題を解消して、適度な柔軟性と弾力性が得られ、頭部から発生する熱の放散性に優れ、適宜な温熱効果も得られ、抗菌性や防臭効果も得られて衛生的で安眠を誘う寝心地の良い枕を提供することを第１の課題とする。
【００１１】
また、本考案に係る多機能枕は、肩凝りや腰の負担を軽減するのに最適で、個人の好みに応じた枕の高さを調節可能な構造を有する形状の枕を提供することを第２の課題とする。
【００１２】
また、本考案に係る多機能枕は、睡眠時に寝返りなどで肩凝りが起きないように、また、頭熱の吸収を効果的に行えるようにする。このため、頭部の側面部分に小豆を充填した部分が当たるように枕形状を工夫し、また、首の頚椎部分を安定させるように枕形状を工夫し、使用時の感触と放熱効果の向上を図る枕を提供することを第３の課題とする。
【００１３】
さらに、本考案に係る多機能枕が腰当て枕として運転席シートに用いられる場合に、腰枕全体が運転者の体にフィットし、かつ指圧部が構成される形状・構造を有し、腰の負担を軽減し腰の疲れを癒す効果を有する枕を提供することを第４の課題とする。
【課題を解決するための手段】
【００１４】
本考案に係る多機能枕は、本考案者自らがムチ打ち症による不眠体験から考案したものであり、充填材料の分量や安全性を研究し、形状・構造を創意工夫して、かつ、熟練した縫製技術で試作して、実用性等の様々な検討を行い、改良を重ねた結果、本考案を完成したものである。
【００１５】
上記目的を達成するために、本考案に係る第１の観点の多機能枕は、扁平で幅広の袋に粒状物が充填され、略Ｖ字状の扁平筒状に形成された枕であって、縫い目状の区画線により、中央部が略扇形に形成され、前記中央部の左右両側部が略矩形に形成され、前記中央部の肉厚が前記左右両側部の肉厚より薄く形成される。
ここで、粒状物には、小豆、大豆、ソバ殻、モミ殻、米、茶葉、なら、ぶな、ひのきなどの天然素材のほか、ウレタン樹脂などの合成樹脂製のビーズなど素材が用いられる。
【００１６】
ここで、使用される小豆は、防カビ・防中処理を施したものである。
小豆は、適度な硬度をもつだけでなく、そば殻、もみ殻やプラスチック製の充填物に比し頭熱を吸収しやすく、さらに、小豆は適度の空隙をもつため空気の流通を促して蓄熱を抑える効果をも有するため、このような特性をもつ小豆を１／２以上の容量で充填することにより、ひんやりとした心地よさをもたらし、安眠を誘うのである。
また、小豆はその重量感から、枕の充填材として使用する場合に、枕の型くずれがしにくいという効果もある。
【００１７】
また、本考案に係る多機能枕は、略扇形に形成された中央部と略矩形に形成された左右両側部との境界の区画線の一部に、貫通孔が形成され、中央部と左右両側部に充填されている粒状物が適宜移動させられることにより、中央部の肉厚および左右両側部の肉厚を調節できることを特徴とする。
略扇形に形成された中央部と略矩形に形成された左右両側部との境界の区画線の一部に、貫通孔が形成されているので、粒状物が適宜移動でき、枕の高さを自由に調節することができる。
【００１８】
また、本考案に係る多機能枕は、左右両側部の両端に調節紐が設けられ、この調節紐を結ぶことにより、略Ｖ字状のＶ字の角度が調節され、それにより中央部の肉厚を厚くできることを特徴とする。
【００１９】
また、本考案に係る多機能枕は、本多機能枕が収納される枕カバーであって、全体形状が略Ｖ字状の筒袖状であり、両端の開口部の周囲に絞り紐を具備する枕カバーに覆われることを特徴する。
この左右の絞り紐を結ぶことによって、好みに応じて枕の高さを簡単に変えられることができる。すなわち、左右の絞り紐の結び目の位置を調整することで、枕本体の略Ｖ字状の鋭角部の角度を自由に調整することができ、角度を小さくしていけば、略扇形に形成された中央部の肉厚が厚みを増していくことになるため、結果として枕の高さを自由に調節できることになる。
【００２０】
次に、本考案に係る第２の観点の多機能枕は、扁平で幅広の袋に粒状物が充填され、略Ｖ字状の扁平筒状に形成された枕であって、中央の縫い目状の区画線により左右に仕切られ、かつ、左右それぞれに略水平の縫い目状の区画線が設けられたことを特徴する。
本考案に係る多機能枕が腰当て枕として運転席シートに用いられる場合に、腰枕全体が運転者の体にフィットし、かつ指圧部が構成されるように、扁平で幅広の袋に粒状物が充填され、略Ｖ字状の扁平筒状に形成された枕であって、中央の縫い目状の区画線により左右に仕切られ、かつ、左右それぞれに略水平の縫い目状の区画線が設けられる。
【００２１】
すなわち、本多機能枕が運転席シートに使用される場合、運転シートのヘッドレストにベルト等を介して引っ掛けるのであるが、への字の頂点が上方を向き、両端部が斜め下方に位置することになる。
内部の充填材は、その荷重により自然に両端部に集まり、また、中央の区画線は背筋にそって位置することになるので中央部は窪みを形成し、両端部が２箇所の指圧部を構成することになると同時に、体にフィットするのである。
【００２２】
また、左右それぞれに略水平の縫い目状の区画線が設けられる理由は、上述のように使用時に内部の充填材がその荷重により自然に両端部に集まるときに、集まりすぎて型くずれを防止するためである。区画線を設けないか、若しくは傾斜して区画線を設けた場合には、充填材が多量に下部の両端部に集まってしまい、型くずれが生じてしまうのである。
【００２３】
ここで、好ましくは、上記の本考案に係る多機能枕は、扁平筒状に形成された多機能枕の扁平面の一方の面に、ソフト綿若しくは遠赤外線綿を付着したことを特徴とする。冬場にひんやり感をやわらげ、その日の体調・気分によって、背中にあてがう面を使い分けることも可能である。
【００２４】
また好ましくは、上記の本考案に係る多機能枕は、扁平筒状に形成された多機能枕の扁平面の一方の面に、発熱体若しくは冷却体の収納物を収納する収納ポケット部を設けたことを特徴とする。冬場は、カイロなどの発熱体を収納部に入れることで、心地よさを更に向上することができる。逆に、夏場は冷媒体を収納部に入れることで、快適さを得ることができる。
【考案の効果】
【００２５】
本考案に係る多機能枕は、防虫・防カビ処理の施した小豆を充填することにより、通気性が良好になり、悪臭や湿気を除去し、睡眠時の呼吸気障害を予防することができ、さらに頭部に対する血行や毛髪の成長を促進して、安眠効果を高めることができるといった効果を有する。
また、本考案に係る多機能枕は、その形状と構造により、肩凝りや腰の負担を軽減するのに最適で、個人の好みに応じた枕の高さを調節できるといった効果を有する。
さらに、本考案に係る多機能枕は、睡眠時に寝返りなどで肩凝りが起きないように、また、頭熱の吸収を効果的に行え、また頭部の側面部分に小豆を充填した部分が当たり、首の頚椎部分を安定させることにより、枕の使用時の感触と放熱効果の向上を図ることができる。
【考案を実施するための最良の形態】
【００２６】
以下、本考案を実施するための最良の形態を図面に基づいて説明する。
【実施例１】
【００２７】
本発明の多機能枕の一例として、図１に実施例１の形状を示す。図１の実施例１に示される枕は、扁平で幅広の袋によって、全体として平面視で略Ｖ字状に形成されている。この扁平で幅広の袋の中に、防虫・防カビを施した小豆を容積率で７０〜８０％充填している。また、縫合処理にて、縫い目状の区画線３を設けて、枕の中央部１を略扇形に、その左右両側部２を略矩形に区画して、全体形状がほぼ左右対称な形状にしている。また、この縫い目状の区画線３で、袋の上面側と下面側を縫い合わせて、区画線部位を谷状に窪ませている。
【００２８】
枕の略Ｖ字状の形状は、そのＶ字の角度が鈍角状の穏やかなＶ字状である。また、中央部１の略扇形部の肉厚は、左右両側部２の略矩形部よりも薄く形成している。また、中央部１の略扇形部の肉厚は、中心角側を薄く形成している。
【００２９】
図２の使用例に示されるように、頭部を枕にのせた場合、中央部１の略扇形部の肉厚の厚い部分が頚椎を支え、また、略Ｖ字状の左右両側部２の略矩形部の縁から肉厚の高い部分にかけて、耳から首のつけ根に点在するツボを刺激することができるのである。
【００３０】
また、本実施例１の枕の両端部には、調節紐４を設けている。この調節紐４を結ぶことにより、枕の中央部１の略Ｖ字状のＶ字の角度をより鋭角にすることができ、また、略Ｖ字状のＶ字の角度をより鋭角にすることで、中央部１の略扇形部の肉厚や左右両側部２の略矩形部の肉厚を厚くすることができ、使用者の体形に適した形状、高さとすることができるのである。この調節紐４によって、枕の形をＶの字に曲げ、首と後頭部の高さに合うように調整できるのである。なお、調節紐４は枕本体に設けないで、枕カバーに設けてもよい。
【実施例２】
【００３１】
次に、本発明の多機能枕の他の例として、図３に実施例２の運転シート用背当て枕の形状を示す。また、図４に、実施例２の枕の使用イメージ図を示す。
実施例２の枕は、扁平で幅広の袋に防虫・防カビ処理を施した小豆が充填され、略Ｖ字状の扁平筒状に形成されている。また、中央の縫い目状の区画線１３により左右に仕切られ、かつ、左右それぞれに略水平の縫い目状の区画線１４を設けている。また、本枕には運転シートのヘッドレストに引っ掛けて使用できるようにベルト１１を設けている。さらに、本枕は扁平面の一方の面に、発熱体若しくは冷却体の収納物を収納できる収納ポケット部１２を設けている。
【産業上の利用可能性】
【００３２】
本考案に係る多機能枕は、就寝時に快適な睡眠をもたらすことのできる枕や、自動車の運転席シート等椅子に使用され腰の負担を軽くする背当て枕として利用できる。
【図面の簡単な説明】
【００３３】
【図１】実施例１の枕の外観形状図
【図２】実施例１の枕の使用イメージ図
【図３】実施例２の枕の外観形状図
【符号の説明】
【００３４】
１  中央部
２  左右両側部
３  区画線
４  調節紐
７  頭部
１１  ベルト
１２  収納ポケット部
１３  区画線（左右境界）
１４  区画線（水平）
【図１】
0003120105.tif 000003
【図２】
0003120105.tif 000004
【図３】
0003120105.tif 000005